【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
静電潜像担持体を帯電手段により帯電する帯電工程、該帯電された静電潜像担持体を露光して静電潜像を形成する露光工程、トナー層規制部材でトナー担持体上のトナーを規制する工程、静電潜像担持体上に形成された該静電潜像を該トナー担持体上のトナーで現像して、トナー像を形成する現像工程、該トナー像を中間転写体を介して、又は介さずに転写材へ転写する転写工程を有する画像形成方法において、
該トナー担持体は、軸芯体の外周に弾性層を有し、その外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２つのピークを有し、それぞれのピーク位置をＤP（Ａ）［μｍ］及びＤP（Ｂ）［μｍ］、ピーク高さをＤH（Ａ）及びＤH（Ｂ）とし、該トナーの重量平均粒径Ｄ4（Ｔ）としたとき、
２．０≦ＤP（Ｂ）−ＤP（Ａ）≦１２．０
３．０≦Ｄ4（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及びワックス成分を少なくとも含有するトナー粒子と、シリカ微粉体とを有し、
該トナーの粒度分布において重量平均粒径Ｄ4（Ｔ）が３．０乃至８．０μｍであって、
該シリカ微粉体のうち少なくとも一種が、シリコーンオイルで疎水化処理されたシリカ微粉体であり、
トナー粒子１００質量部に対する該シリカ微粉体の量が０．０５乃至２．５質量部であって、
該シリカ微粉体のＢＥＴが、４０乃至１５０ｍ2／ｇであり、
該シリカ微粉体の炭素量をＣ量（質量％）、シリカ微粉体の疎水化処理前のＢＥＴを原体ＢＥＴ（ｍ2／ｇ）としたとき、Ｃ量／原体ＢＥＴ＝０．０２０乃至０．０６０であることを特徴とする画像形成方法。
【請求項２】
該シリカ微粉体のＢＥＴが、５０乃至９０ｍ2／ｇであることを特徴とする請求項１に記載の画像形成方法。
【請求項３】
該シリカ微粉体の炭素量をＣ量（質量％）、シリカ微粉体の疎水化処理前のＢＥＴを原体ＢＥＴ（ｍ2／ｇ）としたとき、Ｃ量／原体ＢＥＴ＝０．０３０乃至０．０６０であることを特徴とする請求項１又は２に記載の画像形成方法。
【請求項４】
該シリカ微粉体の炭素量をＣ量（質量％）、シリカ微粉体の疎水化処理前のＢＥＴを原体ＢＥＴ（ｍ2／ｇ）としたとき、Ｃ量／原体ＢＥＴ＝０．０３５乃至０．０５５であることを特徴とする請求項１乃至３のいずれか一項に記載の画像形成方法。
【請求項５】
該トナーの１００℃における粘度が１．５×１０4乃至５．５×１０4Ｐａ・ｓであることを特徴とする請求項１乃至４のいずれか一項に記載の画像形成方法。
【請求項６】
該トナー担持体表面層において、結着樹脂１００質量部に対する該粒子の配合量をＣ［質量部］、該表面層の厚さをｔ［μｍ］としたとき、
１５．０≦Ｃ≦４０．０
８．０≦ｔ≦１５．０
であることを特徴とする請求項１乃至５のいずれか一項に記載の画像形成方法。
【請求項７】
該トナー担持体の表面硬度が３０．０乃至３８．０であることを特徴とする請求項１乃至６のいずれか一項に記載の画像形成方法。
【請求項８】
該トナー担持体表面層の該粒子がＡ及びＢから成り、Ａ、Ｂの混合質量比がＡ：Ｂ＝６０：４０乃至９０：１０であることを特徴とする請求項１乃至７のいずれか一項に記載の画像形成方法。
【請求項９】
該トナー担持体表面層の該粒子が樹脂粒子であり、トナー担持体表面層の結着樹脂及び樹脂粒子がウレタン樹脂であることを特徴とする請求項１乃至８のいずれか一項に記載の画像形成方法。
【請求項１０】
該トナー担持体表面層の該粒子がＡ及びＢから成り、Ａの重量平均粒径Ｄ4（Ａ）［μｍ］が、６．０≦Ｄ4（Ａ）≦１０．０であることを特徴とする請求項１乃至９のいずれか一項に記載の画像形成方法。
【請求項１１】
該トナー担持体表面層の該粒子がＡ及びＢから成り、Ｂの重量平均粒径Ｄ4（Ｂ）［μｍ］が、１２．０≦Ｄ4（Ｂ）≦２０．０であることを特徴とする請求項１乃至１０のいずれか一項に記載の画像形成方法。
【請求項１２】
該トナー担持体表面層の該粒子がＡ及びＢから成り、Ａの重量平均粒径Ｄ4（Ａ）［μｍ］とＢの重量平均粒径Ｄ4（Ｂ）［μｍ］が、Ｄ4（Ｂ）−Ｄ4（Ａ）≧４．０であることを特徴とする請求項１乃至１１のいずれか一項に記載の画像形成方法。
【請求項１３】
静電潜像担持体を帯電手段により帯電する帯電工程、該帯電された静電潜像担持体を露光して静電潜像を形成する露光工程、トナー層規制部材でトナー担持体上のトナーを規制する工程、静電潜像担持体上に形成された該静電潜像を該トナー担持体上のトナーで現像して、トナー像を形成する現像工程、該トナー像を中間転写体を介して、又は介さずに転写材へ転写する転写工程を有する画像形成方法において用いられるトナーであって、
該トナー担持体は、軸芯体の外周に弾性層を有し、その外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２つのピークを有し、それぞれのピーク位置をＤP（Ａ）［μｍ］及びＤP（Ｂ）［μｍ］、ピーク高さをＤH（Ａ）及びＤH（Ｂ）とし、該トナーの重量平均粒径Ｄ4（Ｔ）としたとき、
２．０≦ＤP（Ｂ）−ＤP（Ａ）≦１２．０
３．０≦Ｄ4（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及びワックス成分を少なくとも含有するトナー粒子と、シリカ微粉体とを有し、
該トナーの粒度分布において重量平均粒径Ｄ4（Ｔ）が３．０乃至８．０μｍであって、
該シリカ微粉体のうち少なくとも一種が、シリコーンオイルで疎水化処理されたシリカ微粉体であり、
トナー粒子１００質量部に対する該シリカ微粉体の量が０．０５乃至２．５質量部であって、
該シリカ微粉体のＢＥＴが、４０乃至１５０ｍ2／ｇであり、
該シリカ微粉体の炭素量をＣ量（質量％）、シリカ微粉体の疎水化処理前のＢＥＴを原体ＢＥＴ（ｍ2／ｇ）としたとき、Ｃ量／原体ＢＥＴ＝０．０２０乃至０．０６０であることを特徴とするトナー。
【手続補正２】
【補正対象書類名】明細書
【補正対象項目名】００１０
【補正方法】変更
【補正の内容】
【００１０】
＜１＞  静電潜像担持体を帯電手段により帯電する帯電工程、該帯電された静電潜像担持体を露光して静電潜像を形成する露光工程、トナー層規制部材でトナー担持体上のトナーを規制する工程、静電潜像担持体上に形成された該静電潜像を該トナー担持体上のトナーで現像して、トナー像を形成する現像工程、該トナー像を中間転写体を介して、又は介さずに転写材へ転写する転写工程を有する画像形成方法において、
該トナー担持体は、軸芯体の外周に弾性層を有し、その外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２つのピークを有し、それぞれのピーク位置をＤP（Ａ）［μｍ］及びＤP（Ｂ）［μｍ］、ピーク高さをＤH（Ａ）及びＤH（Ｂ）とし、該トナーの重量平均粒径Ｄ4（Ｔ）としたとき、
２．０≦ＤP（Ｂ）−ＤP（Ａ）≦１２．０
３．０≦Ｄ4（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及びワックス成分を少なくとも含有するトナー粒子と、シリカ微粉体とを有し、
該トナーの粒度分布において重量平均粒径Ｄ4（Ｔ）が３．０乃至８．０μｍであって、
該シリカ微粉体のうち少なくとも一種が、シリコーンオイルで疎水化処理されたシリカ微粉体であり、
トナー粒子１００質量部に対する該シリカ微粉体の量が０．０５乃至２．５質量部であって、
該シリカ微粉体のＢＥＴが、４０乃至１５０ｍ2／ｇであり、
該シリカ微粉体の炭素量をＣ量（質量％）、シリカ微粉体の疎水化処理前のＢＥＴを原体ＢＥＴ（ｍ2／ｇ）としたとき、Ｃ量／原体ＢＥＴ＝０．０２０乃至０．０６０であることを特徴とする画像形成方法。
【手続補正３】
【補正対象書類名】明細書
【補正対象項目名】００２２
【補正方法】変更
【補正の内容】
【００２２】
＜１３＞  静電潜像担持体を帯電手段により帯電する帯電工程、該帯電された静電潜像担持体を露光して静電潜像を形成する露光工程、トナー層規制部材でトナー担持体上のトナーを規制する工程、静電潜像担持体上に形成された該静電潜像を該トナー担持体上のトナーで現像して、トナー像を形成する現像工程、該トナー像を中間転写体を介して、又は介さずに転写材へ転写する転写工程を有する画像形成方法において用いられるトナーであって、
該トナー担持体は、軸芯体の外周に弾性層を有し、その外周に少なくとも結着樹脂と粒子を含有する表面層を有するトナー担持体であり、
該トナー担持体表面の粗さ曲線の歪度Ｒｓｋが０．１５乃至０．７０であり、
該粒子は体積粒度分布において２つのピークを有し、それぞれのピーク位置をＤP（Ａ）［μｍ］及びＤP（Ｂ）［μｍ］、ピーク高さをＤH（Ａ）及びＤH（Ｂ）とし、該トナーの重量平均粒径Ｄ4（Ｔ）としたとき、
２．０≦ＤP（Ｂ）−ＤP（Ａ）≦１２．０
３．０≦Ｄ4（Ｔ）＜ＤP（Ａ）＜ＤP（Ｂ）≦３０．０
１．０≦ＤH（Ａ）／ＤH（Ｂ）≦８．０
であり、
該トナーは、結着樹脂、着色剤、及びワックス成分を少なくとも含有するトナー粒子と、シリカ微粉体とを有し、
該トナーの粒度分布において重量平均粒径Ｄ4（Ｔ）が３．０乃至８．０μｍであって、
該シリカ微粉体のうち少なくとも一種が、シリコーンオイルで疎水化処理されたシリカ微粉体であり、
トナー粒子１００質量部に対する該シリカ微粉体の量が０．０５乃至２．５質量部であって、
該シリカ微粉体のＢＥＴが、４０乃至１５０ｍ2／ｇであり、
該シリカ微粉体の炭素量をＣ量（質量％）、シリカ微粉体の疎水化処理前のＢＥＴを原体ＢＥＴ（ｍ2／ｇ）としたとき、Ｃ量／原体ＢＥＴ＝０．０２０乃至０．０６０であることを特徴とするトナー。
【手続補正４】
【補正対象書類名】明細書
【補正対象項目名】００２３
【補正方法】削除
【補正の内容】
【手続補正５】
【補正対象書類名】明細書
【補正対象項目名】００２４
【補正方法】削除
【補正の内容】
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】削除
【補正の内容】